(57)【要約】【課題】取り付け作業の負担を軽減させることができる折り畳み式扉の展開状態固定装置を提供する。【解決手段】第二の扉２側に取り付けられ、所定領域が第二の扉２側から第一の扉１側に突出して該第一の扉１の正面側に位置するロック位置と、前記所定領域が第二の扉２側に退避するロック解除位置との間を移動可能なロックアーム１１と、第二の扉２側に取り付けられ、両扉１，２の折畳状態においてロックアーム１１をロック解除位置に保持し、両扉１，２が展開状態になるとロックアーム１１をロック位置に移動させるアーム位置制御機構とを備え、ロック位置に位置するロックアーム１１によって両扉１，２が展開状態に固定されて一体的に開閉できる。【選択図】図１
2013127190.tif 000002
【特許請求の範囲】
【請求項１】
基端側の扉と先端側の扉の正面同士が向かい合うように折り畳まれた折畳状態から先端側の扉が基端側の扉から離れるように閉じ側に回動して展開状態となる折り畳み式扉に取り付けられ、両扉を展開状態に固定して一体的に開閉できるようにするための折り畳み式扉の展開状態固定装置であって、
両扉のうち一方の扉側に取り付けられ、所定領域が一方の扉側から他方の扉側に突出して該他方の扉の正面側に位置するロック位置と、前記所定領域が一方の扉側に退避するロック解除位置との間を移動可能なロックアームと、
一方の扉側に取り付けられ、両扉の折畳状態においてロックアームをロック解除位置に保持し、両扉が展開状態になるとロックアームをロック位置に移動させるアーム位置制御機構とを備え、
ロック位置に位置するロックアームによって両扉が展開状態に固定されるように構成されていることを特徴とする折り畳み式扉の展開状態固定装置。
【請求項２】
ロックアームは一方の扉側から他方の扉側へとスライド移動可能に構成され、ロックアームが一方の扉側から他方の扉側に突出するようにスライド移動してロック位置となる請求項１記載の折り畳み式扉の展開状態固定装置。
【請求項３】
アーム位置制御機構は、ロックアームをロック位置側に付勢する付勢手段と、該付勢手段の付勢力に抗してロックアームをロック解除位置に係止する係止手段と、該係止手段によるロックアームの係止状態を解除する係止解除機構とを備えている請求項２記載の折り畳み式扉の展開状態固定装置。
【請求項４】
両扉のうち先端側の扉側に取り付けられる構成であり、係止解除機構は、ロックアームとは独立して移動可能な解除アームを備え、折畳状態から展開状態に至る間において先端側の扉の回動動作に伴って解除アームが基端側の扉に当接し押圧されて移動することで係止手段による係止状態を解除するように構成されている請求項３記載の折り畳み式扉の展開状態固定装置。
【発明の詳細な説明】
【技術分野】
【０００１】
本発明は、二つ折り扉等の折り畳み式扉を展開状態で一体的に開閉動作可能とするための固定装置に関する。
【背景技術】
【０００２】
例えば、防火扉として二つ折り扉が使用されることがある。この二つ折り扉は、常時は折り畳まれた状態で戸袋に収納されている。そして、火災時には、折り畳まれた状態で戸袋から回動しながら出てきて基端側の第一の扉が閉じ状態となり、そこから更に先端側の第二の扉が第一の扉から離反するように先端側に回動して第二の扉も閉じ状態になる。このように両扉が展開状態となることで通路を閉鎖する。
【０００３】
この両扉を展開状態のままで一体的に開閉動作させるために固定装置が使用される。該固定装置としては例えば下記公報所載のものが提案されている。即ち、第二の扉の基端側の端部にリンクが取り付けられ、第一の扉の先端側の端部にはリンクを係止するための係止部材が取り付けられ、両扉が展開状態になると係止部材にリンクが自動的に係止し、両扉が展開状態に保持されるというものである。
【０００４】
しかしながら、この構成の固定装置においては施工時に両扉にそれぞれ部材を取り付ける必要があって、それらの取り付け位置の相互関係にも配慮する必要があり、取り付け作業の負担が大きいという問題がある。
【先行技術文献】
【特許文献】
【０００５】
【特許文献１】特許第３４９７２０４号公報
【発明の概要】
【発明が解決しようとする課題】
【０００６】
それゆえに本発明は上記従来の問題点に鑑みてなされ、取り付け作業の負担を軽減させることができる折り畳み式扉の展開状態固定装置を提供することを課題とする。
【課題を解決するための手段】
【０００７】
本発明は上記課題を解決すべくなされたものであって、本発明に係る折り畳み式扉の展開状態固定装置は、基端側の扉と先端側の扉の正面同士が向かい合うように折り畳まれた折畳状態から先端側の扉が基端側の扉から離れるように閉じ側に回動して展開状態となる折り畳み式扉に取り付けられ、両扉を展開状態に固定して一体的に開閉できるようにするための折り畳み式扉の展開状態固定装置であって、両扉のうち一方の扉側に取り付けられ、所定領域が一方の扉側から他方の扉側に突出して該他方の扉の正面側に位置するロック位置と、前記所定領域が一方の扉側に退避するロック解除位置との間を移動可能なロックアームと、一方の扉側に取り付けられ、両扉の折畳状態においてロックアームをロック解除位置に保持し、両扉が展開状態になるとロックアームをロック位置に移動させるアーム位置制御機構とを備え、ロック位置に位置するロックアームによって両扉が展開状態に固定されるように構成されていることを特徴とする。尚、本発明において扉の正面とは折畳状態における対向面を意味するものとする。
【０００８】
該構成の固定装置は基端側の扉と先端側の扉のうちの一方に取り付けられて使用される。例えば、先端側の扉に取り付けた場合、展開状態になるとアーム位置制御機構がロックアームを基端側の扉側に突出させるように移動させてロックアームをロック位置に位置させる。ロックアームはロック位置においてその基端側の所定領域が基端側の扉の正面側に位置し、このロックアームによって両扉が展開状態に固定され、両扉が一体的に開閉可能となる。
【０００９】
特に、ロックアームは一方の扉側から他方の扉側へとスライド移動可能に構成され、ロックアームが一方の扉側から他方の扉側に突出するようにスライド移動してロック位置となることが好ましい。ロックアームが回動する構成とすることもできるが、ロックアームがスライド移動してその所定領域が第一の扉の正面側に位置する構成とすることにより装置をコンパクト化、簡素化できる。
【００１０】
更に、アーム位置制御機構は、ロックアームをロック位置側に付勢する付勢手段と、該付勢手段の付勢力に抗してロックアームをロック解除位置に係止する係止手段と、該係止手段によるロックアームの係止状態を解除する係止解除機構とを備えていることが好ましい。係止手段によってロックアームをロック解除位置に容易に保持することができ、付勢手段と係止解除機構によって容易にロック位置に移動させることができる。
【００１１】
また更に、両扉のうち先端側の扉側に取り付けられる構成であり、係止解除機構は、ロックアームとは独立して移動可能な解除アームを備え、折畳状態から展開状態に至る間において先端側の扉の回動動作に伴って解除アームが基端側の扉に当接し押圧されて移動することで係止手段による係止状態を解除するように構成されていることが好ましい。該構成では、折畳状態から展開状態に至るまでの間に解除アームが基端側の扉に当接して押圧され、その押圧力を利用して係止手段によるロックアームの係止状態を解除する。従って、先端側の扉の回動動作に連動して係止状態を解除することができると共に、先端側の扉が回動する力を利用して係止解除することができる。
【発明の効果】
【００１２】
以上のように、本発明に係る折り畳み式扉の展開状態固定装置にあっては、基端側の扉と先端側の扉のうちの一方に取り付ければよいので、施工時の取り付け作業負担が少なくて済む。
【図面の簡単な説明】
【００１３】
【図１】本発明の一実施形態における折り畳み式扉の展開状態固定装置の使用状態を示す平面図であって、折り畳み式扉が展開状態に固定された状態を示す。
【図２】図１の状態の正面図。
【図３】同実施形態における固定装置の使用状態を示す平面図であって、折り畳み式扉が展開状態の固定を解除された状態を示す。
【図４】図３の状態の正面図。
【図５】同実施形態における固定装置の使用状態を示す断面図であって、（ａ）は折り畳み式扉が展開状態に固定された状態を示し、（ｂ）は折り畳み式扉が展開状態の固定を解除された状態を示す。
【図６】図２のＡ−Ａ断面図。
【図７】同実施形態における固定装置のロックアームがロック解除位置に係止された状態を示す図であって、（ａ）は平面から見た断面図、（ｂ）は正面から見た断面図。
【図８】図７（ｂ）のＢ−Ｂ断面図。
【図９】同実施形態における固定装置のロックアームの係止が解除された状態を示す図であって、（ａ）は平面から見た断面図、（ｂ）は正面から見た断面図。
【図１０】同実施形態における固定装置の動作を説明するための平面図であって、折り畳み式扉が折り畳まれている状態を示す。
【図１１】同実施形態における固定装置の動作を説明するための平面図であって、（ａ）は折り畳み式扉が展開していく途中の状態を示し、（ｂ）は（ａ）の状態から折り畳み式扉が更に閉じた時の状態であってロックアームの係止が解除された時の状態を示す。
【図１２】同実施形態における固定装置の動作を説明するための平面図であって、（ａ）は折り畳み式扉が折り畳まれていく途中の状態を示し、（ｂ）は（ａ）の状態から折り畳み式扉が更に開いた時の状態を示す。
【図１３】同実施形態における固定装置が使用される折り畳み式扉の動作を説明するための平面図であって、（ａ）は折り畳み式扉の収納状態を示し、（ｂ）は第一の扉が閉じた折畳状態を示し、（ｃ）は両扉が閉じた展開状態を示す。
【発明を実施するための形態】
【００１４】
以下、本発明の一実施形態にかかる折り畳み式扉の展開状態固定装置について図面を参酌しつつ説明するが、まず、同固定装置が取り付けられる対象となる折り畳み式扉の一例としての防火扉である二つ折り扉について、その動作の概要を図１３を参酌しつつ説明する。尚、扉が通路を閉じた状態において、その扉の開く方向に面した一方の面を正面と、反対側の面を背面と称することにする。また、正面側を前側、背面側を後側とし、左右の方向は正面から見た場合を基準とする。
【００１５】
図１３に示すように、二つ折り扉は基端側の第一の扉１と、先端側の第二の扉２から構成される。第一の扉１は、その基端部を中心として通路の壁に支持されている。第二の扉２は、その基端部を中心として上下方向の軸線まわりに水平方向に回動するように第一の扉１の先端部に支持されている。
【００１６】
具体的には、第一の扉１は通路の壁の戸枠５にオートスイングヒンジ３を介して回動自在に支持され、該オートスイングヒンジ３によって閉じ側に付勢されている。第二の扉２はオートスイングヒンジ４を介して第一の扉１の先端部に回動自在に支持され、該オートスイングヒンジ４によって閉じ側即ち第一の扉１から離れる展開方向に付勢されている。
【００１７】
両扉１，２は防火扉であって、常時は図１３（ａ）のように折り畳まれた状態で通路の壁に設けられた戸袋６に収納されてレリーズ７によって収納状態に保持されている。そして、火災発生時にはレリーズ７が制御盤等から信号を受けて第二の扉２の保持を解除すると、図１３（ｂ）のようにオートスイングヒンジ３によって両扉１，２が折り畳まれた状態のまま閉じ側へと回動する。そして、第一の扉１が閉じ状態となると、第一の扉１は戸枠５に保持される一方、第一の扉１１と第二の扉２の折畳状態の保持が解除され、図１３（ｃ）に二点鎖線で示すように第二の扉２がオートスイングヒンジ４によって閉じ側へと回動していく。そして、図１３（ｃ）に実線で示すように第二の扉２の先端部が戸枠５に当接して閉じ状態になると、両扉１，２は一直線状の展開状態となって通路を完全に閉鎖する。
【００１８】
本実施形態における折り畳み式扉の展開状態固定装置は、両扉１，２が図１３（ｃ）に示すような展開状態のままで第一の扉１の回動中心であるオートスイングヒンジ３を支点として一体的に開閉動作することができるように、両扉１，２を固定するものである。該固定装置は、第二の扉２に取り付けられて使用されるものであって、第二の扉２の正面２ａに取り付けられるベース１０と、該ベース１０に水平方向にスライド可能に支持されたロックアーム１１と、該ロックアーム１１の位置を制御するためのアーム位置制御機構とを備えている。ロックアーム１１は、その所定領域が第二の扉２側から第一の扉１側に突出して第一の扉１の正面１ａ側に位置するロック位置と、その所定領域が第二の扉２側に退避するロック解除位置との間をスライド移動可能であり、アーム位置制御機構は、両扉１，２の折畳状態においてはロックアーム１１をロック解除位置に保持し、両扉１，２が展開状態になるとロックアーム１１をロック位置に移動させる。該アーム位置制御機構は、ロックアーム１１をロック位置側に付勢する付勢手段と、該付勢手段の付勢力に抗してロックアーム１１をロック解除位置に係止する係止手段と、該係止手段によるロックアーム１１の係止状態を解除するための係止解除機構とを備えている。そして、図１及び図２のようにロックアーム１１が第二の扉２から第一の扉１に向かってスライドしてその所定領域が第一の扉１の前側に位置すると、両扉１，２がロックアーム１１を介して一体回動可能な状態になる。以下、詳細に説明する。
【００１９】
ベース１０は、例えば板金から図６に示すように断面視略コの字状に形成されて上面壁部２０と側面壁部２１と下面壁部２２とを備え、その開口が前側を向くようにして第二の扉２に取り付けられている。即ち、ベース１０は、側面壁部２１において前側からネジ２３により第二の扉２に取り付けられている。ベース１０は、横方向に長い形状であってその長手方向が水平方向となるように第二の扉２の基端部に取り付けられている。ベース１０には、ロックアーム１１のスライド移動を案内するためのガイドローラ２４が設けられている。該ガイドローラ２４は上下方向を軸線として回転する構成であり、具体的には、ベース１０の上面壁部２０と下面壁部２２とを上下に架橋するように固定された支軸２４ａを中心として回転自在であって、側面壁部２１との間にガイドローラ２４が走行できるスペースを形成するようにして配置されている。ガイドローラ２４は左右方向に間隔をおいて一対配置されており、両ガイドローラ２４と側面壁部２１がロックアーム１１を前後から案内し、上面壁部２０と下面壁部２２がロックアーム１１を上下から案内する。また、ベース１０の側面壁部２１には、その一部が前側に向けて折り曲げられてバネ押さえ部２５が形成されている。該バネ押さえ部２５はコイルバネ２６の右側の端部に当接している。尚、コイルバネ２６の右側の端部即ち一端部は第一の扉１から遠い方の端部であり、コイルバネ２６の左側の端部即ち他端部は第一の扉１に近い方の端部である。該コイルバネ２６がロックアーム１１を第一の扉１側に向けて水平方向に付勢するための付勢手段を構成している。バネ押さえ部２５には断面円形のバネガイド２７がネジ止めされており、該バネガイド２７がコイルバネ２６の内側に位置するようにしてコイルバネ２６の右側の端部がバネガイド２７に係合している。尚、バネ押さえ部２５の両面のうちコイルバネ２６に当接する面とは反対側の面には、ロックアーム１１の端部１１ａが衝突する際の振動を吸収緩和するための緩衝材２８が取り付けられている。
【００２０】
ロックアーム１１はベース１０に水平方向にスライド可能に支持されて、図１及び図２、図５（ａ）に示すように両扉１，２を展開状態に固定する位置であるロック位置と、図３及び図４、図５（ｂ）に示すように両扉１，２の固定を解除する位置であるロック解除位置との間をスライドする。ロックアーム１１は、ロック位置においては左側の所定領域が第一の扉１の前側に位置するように第二の扉２から第一の扉１側に突出して両扉１，２を水平方向に架橋するような姿勢を採り、ロック解除位置においてはベース１０に退避してその左側の所定領域が第一の扉１側には突出せずにその略全体が第二の扉２の前側に位置する姿勢を採る。
【００２１】
該ロックアーム１１も例えば板金から構成されて上面壁部３０と側面壁部３１と下面壁部３２とから図６のように断面視略コの字状に形成されており、その開口が後側を向くようにしてベース１０の側面壁部２１とガイドローラ２４との間に挿入されている。該ロックアーム１１も横方向に長い形状であってベース１０よりも長く形成されている。ロックアーム１１の右側の端部１１ａにおける側壁面部３１は後側に向けて折り曲げられていて、該端部１１ａには摘み片３３がネジ止めされている。該ロックアーム１１の右側の端部１１ａは、ベース１０のバネ押さえ部２５よりも右側に位置していて、ロックアーム１１が図５（ａ）のように第一の扉１側に突出したロック位置においてはバネ押さえ部２５に取り付けられた緩衝材２８にロックアーム１１の右側の端部１１ａが当接し、これによりロックアーム１１のそれ以上の第一の扉１側への移動が阻止されるようになっている。また、ロックアーム１１の向かって左側の端部には上下方向を軸線として回転するコロ３４が設けられている。即ち、ロックアーム１１の左側の端部には、上面壁部３０と下面壁部３２とを架橋するように支軸３４ａが取り付けられ、該支軸３４ａを中心としてコロ３４が回転する。該コロ３４は、ロックアーム１１の側面壁部３１の後側であって第一の扉１の正面１ａ及び第二の扉２の正面２ａに当接可能な位置に配置されており、ロックアーム１１のスライド移動に伴って第一の扉１の正面１ａ及び第二の扉２の正面２ａに当接しながら回転する。該コロ３４の向かって右側には、側面壁部３１の一部を背面側に向かって折り曲げてバネ押さえ部３５が形成されている。該ロックアーム１１のバネ押さえ部３５はコイルバネ２６の左側の端部に当接する。つまり、ロックアーム１１のバネ押さえ部３５とベース１０のバネ押さえ部２５との間にコイルバネ２６が圧縮状態で配置されており、該コイルバネ２６の弾性復元力によってロックアーム１１を向かって左側に付勢している。尚、ロックアーム１１の側面壁部３１の後側にはバネホルダー３６がネジ止めされており、該バネホルダー３６をコイルバネ２６の左側の端部が水平方向に挿通することでコイルバネ２６の左側の端部近傍が支持されている。
【００２２】
上述したようにロックアーム１１は、ロック位置とロック解除位置との間をスライドするのであるが、固定装置は、ロックアーム１１をコイルバネ２６の付勢力に抗してロック解除位置に係止する係止手段と、第二の扉２が折畳状態から展開していく動作に伴ってロックアーム１１の係止状態を自動的に解除する係止解除機構とを備えている。
【００２３】
ロックアーム１１の上面壁部３０（上面）には上方に開口する係止用の係合凹部３７が形成されている。該係止用の係合凹部３７は図１のように平面視において円形であって且つ図７乃至図９に示すように断面視において上広がりの円錐状（すり鉢状）であり、図７（ｂ）及び図８に示すようなロックアーム１１のロック位置において係止手段としての係合ボール１２の下部が係合している。該係合ボール１２は例えば鋼球であって、ベース１０の上面壁部２０に形成された上下に貫通する係合孔２９にその上部が係合している。該係合孔２９は、左右方向に長い長孔状であって、その短手方向である前後方向の寸法は図８のように係合ボール１２の直径に略等しい。
【００２４】
一方、ベース１０の上面壁部２０には解除アーム１３をスライド可能に支持するアームホルダー１４が取り付けられている。該アームホルダー１４は、例えば板金からなり、下方に開口する断面視略コの字状に形成されていて、そのフランジ部１４ａでベース１０の上面壁部２０に上側からネジ１５により取り付けられている。該アームホルダー１４にその大部分が格納された解除アーム１３はアームホルダー１４内を水平方向に沿ってスライド可能であってコイルバネ４０によって左側に付勢されている。即ち、解除アーム１３はロックアーム１１と同じく水平方向にスライドする構成であって両者は互いに平行であるが別個独立してスライド移動可能な構成であり、解除アーム１３もロックアーム１１と同じ方向に付勢されている。該解除アーム１３は、アームホルダー１４に格納されてコイルバネ４０によって一端側から他端側に向けて付勢されるアーム本体４１と、該アーム本体４１の他端部に設けられた作動体４２とから構成される。アーム本体４１は、後側に開口する断面視略コの字状に形成されていて例えば板金からなり、その下面には下方に開口する解除用の係合凹部４３が形成されている。該解除用の係合凹部４３は底面視において円形であるが、ロックアーム１１の上面に形成された係止用の係合凹部３７とは上下の向きが逆であって下広がりの円錐状に形成されている。解除アーム１３は常時は図７のようにコイルバネ４０に押されて左側に移動した状態にあり、その際にはコイルバネ４０は、ある程度縮んだ状態にある。その状態で解除用の係合凹部４３はベース１０の係合孔２９よりも左側に位置しており、係合ボール１２は解除用の係合凹部４３には係合しない状態にある。そして、図９のように解除アーム１３がコイルバネ４０の付勢力に抗して右側に移動すると、解除用の係合凹部４３が係合孔２９の上側に到達し、係合ボール１２の上部が解除用の係合凹部４３に係合する。ロックアーム１１の係止用の係合凹部３７はその壁面がテーパ状であるので、ロックアーム１１がコイルバネ２６に押される力によって係合ボール１２には上方への分力が作用しており、その分力によって係合ボール１２は上側にシフトしてその上部が解除用の係合凹部４３に係合する。
【００２５】
作動体４２はアーム本体４１の左側の端部に支軸４４を介して取り付けられている。該作動体４２の一端部はアームホルダー１４の内側に位置しており、その一方の隅部４２ａには面取り加工が施されており、それにより作動体４２は支軸４４を支点として水平方向に若干の角度回動ないし揺動できる。尚、作動体４２は支軸４４に設けられた捻りバネ４５によって平面視において時計回りの方向に付勢されている。また、作動体４２の他端部はアーム本体４１から左側に突出しておりアームホルダー１４からもまた突出している。そして、後述のように第二の扉２の展開時に作動体４２の他端部が第一の扉１に当接して右側に向けて押されることにより、作動体４２とアーム本体４１が一体となって右側即ちアームホルダー１４の内側に向けて移動し、解除用の係合凹部４３に係合ボール１２の上部が係合してロックアーム１１の係止状態を解除する。尚、図９のようにロックアーム１１の係止状態が解除された後も、係合孔２９が長孔であるのでそのストローク分だけ作動体４２及びアーム本体４１は更に右側に移動することができる。また、作動体４２には段差部４２ｂが形成され、万一、作動体４２が何らかの理由で右側に通常使用の範囲を越えて押し込まれた場合にはその段差部４２ｂがアームホルダー１４の端面に当接してストッパとして機能し、これによって過度に押し込まれることが原因となる部材の破損を防止する。尚、作動体４２は第一の扉１との衝突音を軽減するため、及び、第一の扉１の傷つきを防止するために、合成樹脂から形成されることが好ましい。このように本実施形態において、アームホルダー１４と解除アーム１３、コイルバネ４０が係止解除機構を構成する。
【００２６】
次にこのように構成された固定装置の動作について説明する。図１０乃至図１２にその動作の概略図を示しているが、図中の符号Ｃは第二の扉２の回動支点である。まず、両扉１，２が折り畳まれた状態においてはロックアーム１１はロック解除位置に位置している。図１０は図１３（ｂ）に相当する状態であって第一の扉１は閉じ状態にあって第二の扉２は折り畳まれた状態にあり、この状態ではロックアーム１１はロック解除位置にあり、作動体４２は第二の扉２の基端部から側方に突出している。
【００２７】
この折畳状態から第二の扉２が閉じ側に向けて回動していくと、やがて図１１（ａ）のように作動体４２の他端部が第一の扉１の先端部に当接する。この後、作動体４２が第一の扉１から押圧力を受けることで解除アーム１３がアームホルダー１４内への格納方向に移動する。解除アーム１３が所定位置に到達すると、解除用の係合凹部４３に係合ボール１２が係合してロックアーム１１の係止状態が解除され、ロックアーム１１がコイルバネ２６の付勢力によって第一の扉１に向かって移動して図１１（ｂ）のようにロックアーム１１のコロ３４が第一の扉１に当接する。図１１（ｂ）の状態から更に第二の扉２が回動すると、作動体４２は更に第一の扉１に押されることになるが、係合孔２９が長孔であるので、解除アーム１３はロックアーム１１の係止状態が解除された後も更に所定量格納方向に移動して退避できる。そして、第二の扉２が全閉状態になるとコロ３４が第一の扉１の正面１ａに当接しながらロックアーム１１がロック位置まで移動して図１及び図２に示す状態となる。この状態ではロックアーム１１の所定領域が第一の扉１の前側に位置して両扉１，２を水平方向に架橋しているので両扉１，２を一体的に開くことができる。
【００２８】
両扉１，２を折り畳んで戸袋６に収納する際には、図３及び図４のように摘み片３３を掴んでロックアーム１１をロック解除位置まで手動により移動させる。ロックアーム１１をロック解除位置に移動させると、壁面がテーパ状である係合凹部４３がコイルバネ４０で付勢されているのでその係合凹部４３によって係合ボール１２が下方に押されて落下し、ロックアーム１１がロック解除位置に係止保持される。そして、第二の扉２を徐々に開き方向に回動させていくと、図１２（ａ）のように作動体４２の側面が第一の扉１の正面１ａに当接して押されることで平面視において反時計回りに回動する。作動体４２が第一の扉１の正面１ａに当接するポイントは、第二の扉２の回動動作と共に徐々に第一の扉１の先端側に移動していき、やがて図１２（ｂ）のように作動体４２が第一の扉１の正面１ａから離反すると、それと同時に捻りバネ４５の付勢力によって作動体４２は元の基本姿勢まで戻る。尚、作動体４２は基本姿勢ではアーム本体４１とスライド方向に沿って一直線状に並んだ状態となる。その後、第二の扉２が第一の扉１の前側まで回動して図１０に示す折畳状態となる。
【００２９】
以上のように、本実施形態における固定装置は、先端側の扉である第二の扉２に取り付けて使用することができ、第一の扉１への取り付け作業は不要であるので施工時における作業負担が軽減される。また、ロックアーム１１をコイルバネ２６がロック位置側に付勢すると共に係合ボール１２がロックアーム１１をロック解除位置に係止する構成であるので、簡単な構造でロックアーム１１を移動させることができると共に係止することができ、メンテナンスも容易である。
【００３０】
また、係止手段として球状の係合ボール１２を用いると共に係止用の係合凹部３７の壁面をテーパ状とすることで、ロックアーム１１を付勢するためのコイルバネ２６の付勢力によって係合ボール１２を係止解除側即ち上側に付勢することができる。ロック解除位置において係合ボール１２を係止解除側に付勢しているので、展開途中に作動体４２が押されると直ちに係止状態が解除され、展開状態になると同時にロックアーム１１をロック位置に位置させることができる。また、係合ボール１２を係止解除側に付勢するためにコイルバネ２６の付勢力を利用する構成としているので、係合ボール１２を係止解除側に付勢するための別途の部材も不要である。一方、ロックアーム１１を手動によってロック解除位置に移動させるときには係合ボール１２はコイルバネ４０の付勢力を利用して係止側に移動するので、係合ボール１２を係止側に付勢するための別途の部材も不要である。
【００３１】
更に、ベース１０に取り付けたアームホルダー１４にスライド可能に支持された解除アーム１３が展開途中に第一の扉１に当接して移動することにより係合ボール１２によるロックアーム１１の係止状態が解除されるので、展開動作と連動して自動的にロックアーム１１の係止状態を解除することができる。しかも、解除アーム１３に別体の作動体４２を備えて該作動体４２が水平方向に回動できる構成であるので、展開状態から折畳状態に移行する途中で作動体４２が第一の扉１に当接してもその第一の扉１から回動して退避することができる。従って、解除アーム１３を別途調整することなく簡単に折畳状態に復帰させることができる。更に、折畳状態に復帰すると、作動体４２は捻りバネ４５によって自動的に元の基本姿勢に戻るので、再度、展開状態になる場合でも解除アーム１３は格納方向へと移動でき、従って、折畳状態に復帰した際に、作動体４２等を調整し直す必要もない。
【００３２】
また更に、折畳状態である常時においてロックアーム１１の端部であるコロ３４は第二の扉２の正面２ａには当接しているものの大きな力で第二の扉２に向けて押圧付勢されてはいないので、長期間同じ状態で第二の扉２あるいは第一の扉１に押し付けられている場合に比してコロ３４が経時変化により劣化しにくく、ロックアーム１１の耐久性も高くなり、万一の火災時においてもスムーズに第一の扉１の正面１ａにコロ３４が当接して回転できる。
【００３３】
尚、本実施形態では解除アーム１３がアーム本体４１とは別体構成の作動体４２を備えていたが、別体の作動体４２を備えていない一体構成であってもよい。
【００３４】
また、係止解除機構も上記解除アーム１３を用いた構成に限らず、回動する部材等によって係止解除してもよい。付勢手段や係止手段についても同様に種々の構成を採用可能である。
【００３５】
また更に、ロックアーム１１についても種々の構成が採用可能であって、例えば第二の扉２の正面２ａと平行な垂直面を水平方向の軸線まわりに回動ないし揺動する構成としてもよい。スライド移動する場合であっても水平方向ではなく斜め方向に移動してもよく、第二の扉２の正面２ａと平行に移動することが好ましい。
【００３６】
また、上記実施形態では、第二の扉２に取り付ける構成について説明したが、逆に第一の扉１に取り付ける構成としてもよい。更に、折り畳み式扉として第一の扉１と第二の扉２からなる二つ折り扉の場合を説明したが、第一乃至第三の扉からなる三つ折り扉にも適用可能であり、その場合、第一の扉と第二の扉を固定してもよく、第二の扉と第三の扉を固定してもよく、隣り合う二つの扉間において使用できる。また四つ折り以上の折り畳み式扉にも適用可能である。
【符号の説明】
【００３７】
１    第一の扉
１ａ  正面
２    第二の扉
２ａ  正面
３    オートスイングヒンジ
４    オートスイングヒンジ
５    戸枠
６    戸袋
７    レリーズ
１０    ベース
１１    ロックアーム
１１ａ  端部
１２    係合ボール（係止手段）
１３    解除アーム
１４    アームホルダー
１４ａ  フランジ部
１５    ネジ
２０    上面壁部
２１    側面壁部
２２    下面壁部
２３    ネジ
２４    ガイドローラ
２４ａ  支軸
２５    バネ押さえ部
２６    コイルバネ（付勢手段）
２７    バネガイド
２８    緩衝材
２９    係合孔
３０    上面壁部
３１    側面壁部
３２    下面壁部
３３    摘み片
３４    コロ
３４ａ  支軸
３５    バネ押さえ部
３６    バネホルダー
３７    係止用の係合凹部
４０    コイルバネ
４１    アーム本体
４２    作動体
４２ａ  隅部
４２ｂ  段差部
４３    解除用の係合凹部
４４    支軸
４５    捻りバネ
Ｃ    第二の扉の回動支点
【図１】
2013127190.tif 000003
【図２】
2013127190.tif 000004
【図３】
2013127190.tif 000005
【図４】
2013127190.tif 000006
【図５】
2013127190.tif 000007
【図６】
2013127190.tif 000008
【図７】
2013127190.tif 000009
【図８】
2013127190.tif 000010
【図９】
2013127190.tif 000011
【図１０】
2013127190.tif 000012
【図１１】
2013127190.tif 000013
【図１２】
2013127190.tif 000014
【図１３】
2013127190.tif 000015